(57)【要約】【課題】画像を鮮明化する処理が実行されている期間を、ユーザが認識できる画像表示装置を提供する。【解決手段】画像表示装置（プロジェクタ１）は、画像信号に基づいて画像を表示する画像表示部（画像投写部１０）と、画像表示部が表示する画像を鮮明化する画像鮮明化処理を行う画像制御部（制御部２０、フォーカス制御部２０ａ、ズーム制御部２０ｂ）と、画像制御部が行う画像鮮明化処理の開始と終了とを通知する通知部（ブザー駆動部２８、ブザー２９）と、を備える。【選択図】図１
2010085815.tif 000002
【特許請求の範囲】
【請求項１】
画像信号に基づいて画像を表示する画像表示部と、
前記画像表示部が表示する前記画像を鮮明化する画像鮮明化処理を行う画像制御部と、
前記画像制御部が行う前記画像鮮明化処理の開始と終了とを通知する通知部と、
を備えたことを特徴とする画像表示装置。
【請求項２】
請求項１に記載の画像表示装置であって、
前記画像表示装置は、オートフォーカス機能と、自動ズーム機能と、自動台形歪補正機能とのうち、少なくとも１つの機能を有し、
前記画像制御部が行う前記画像鮮明化処理は、前記少なくとも１つの機能に伴う処理であることを特徴とする画像表示装置。
【請求項３】
請求項１または２に記載の画像表示装置であって、
前記画像制御部が行う前記画像鮮明化処理は、前記画像表示装置の電源オン時のウォームアップ処理であることを特徴とする画像表示装置。
【請求項４】
請求項１乃至３のいずれか一項に記載の画像表示装置であって、
前記画像信号が入力される複数の入力端子から１つの前記入力端子を選択する入力選択部と、
前記入力選択部が選択した前記入力端子に前記画像信号が入力されているか否かを検知する信号検知部と、
前記入力選択部および前記信号検知部を制御して前記画像信号が入力されている前記入力端子を検索し、当該入力端子に入力されている前記画像信号に基づく前記画像を前記画像表示部に表示させる画像検索処理を行う画像検索部と、
をさらに備え、
前記画像制御部が行う前記画像鮮明化処理は、前記画像検索処理であることを特徴とする画像表示装置。
【請求項５】
請求項１乃至４のいずれか一項に記載の画像表示装置であって、
前記画像表示装置は、ＵＳＢディスプレイ機能を有し、
前記画像制御部が行う前記画像鮮明化処理は、前記画像表示装置がＵＳＢ接続手段を介してホスト機器との接続が行われた際の、前記ＵＳＢディスプレイ機能を活性化する処理であることを特徴とする画像表示装置。
【請求項６】
請求項１乃至５のいずれか一項に記載の画像表示装置であって、
前記通知部は、音声を出力する音声出力装置を有して構成され、
前記音声出力装置が出力する音声によって、前記画像鮮明化処理の開始と終了とを通知することを特徴とする画像表示装置。
【請求項７】
請求項１乃至５のいずれか一項に記載の画像表示装置であって、
前記通知部は、前記画像表示部が表示する前記画像によって前記画像鮮明化処理の開始と終了とを通知することを特徴とする画像表示装置。
【請求項８】
光源と、前記光源から射出された光を画像信号に基づいて変調して画像を形成する光変調装置と、前記光変調装置で形成された前記画像を投写する投写光学系と、を有する画像投写部と、
前記画像投写部が投写する前記画像を鮮明化する画像鮮明化処理を行う画像制御部と、
前記画像制御部が行う前記画像鮮明化処理の開始と終了とを通知する通知部と、
を備えたことを特徴とするプロジェクタ。
【発明の詳細な説明】
【技術分野】
【０００１】
本発明は、画像表示装置、およびプロジェクタに関する。
【背景技術】
【０００２】
従来、フォーカス調整や台形歪補正（「キーストーン補正」ともいう）等を自動で行うオートセットアップ機能を備えたプロジェクタが提案されている（例えば、特許文献１）。このようなプロジェクタによれば、投写画像を鮮明化するために、ユーザが手動でフォーカス調整を行ったり、台形歪補正を行ったりする必要がないため、ユーザの操作が簡易になっている。
【０００３】
【特許文献１】特開２００８−１０９３３７号公報
【発明の開示】
【発明が解決しようとする課題】
【０００４】
しかしながら、特許文献１に示すようなオートセットアップ機能が実行されている間（調整中）は、プロジェクタからは、不鮮明な画像が投写されたり、オートセットアップに伴う特殊な表示パターンが投写されたりする。このため、プロジェクタを用いてプレゼンテーション等を行うユーザは、オートセットアップ機能の実行が終了して（調整が終了して）、投写画像が鮮明になるまで待つことが多かった。
【０００５】
また、プロジェクタ等の画像表示装置においては、オートセットアップ機能の他にも、入力画像を鮮明化するための処理（以降、「画像鮮明化処理」と呼ぶ）を行う場合があった。このような画像鮮明化処理を行っている間（調整中）は、やはり、不鮮明な画像が表示される場合があった。よって、画像鮮明化処理を行っている間にプレゼンテーションを行わないように、画像鮮明化処理が実行されている期間を、ユーザが認識できる画像表示装置が求められていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像信号に基づいて画像を表示する画像表示部と、前記画像表示部が表示する前記画像を鮮明化する画像鮮明化処理を行う画像制御部と、前記画像制御部が行う前記画像鮮明化処理の開始と終了とを通知する通知部と、を備えたことを特徴とする。
【０００８】
このような画像表示装置によれば、画像制御部は、画像表示部が表示する画像を鮮明化する画像鮮明化処理を行う。そして、通知部は、画像鮮明化処理の開始と終了とをユーザに通知する。これにより、ユーザは画像鮮明化処理が実行されている期間を認識することが可能となり、画像が鮮明になったことを知ることができる。よって、利便性が向上する。
【０００９】
［適用例２］上記適用例に係る画像表示装置において、前記画像表示装置は、オートフォーカス機能と、自動ズーム機能と、自動台形歪補正機能とのうち、少なくとも１つの機能を有し、前記画像制御部が行う前記画像鮮明化処理は、前記少なくとも１つの機能に伴う処理であることを特徴とする。
【００１０】
このような画像表示装置によれば、オートフォーカス機能と、自動ズーム機能と、自動台形歪補正機能とのうち、少なくとも１つの機能に伴う処理を画像鮮明化処理とする。そして、通知部は、機能の開始と終了とをユーザに通知する。これにより、ユーザは、オートフォーカス機能、自動ズーム機能、および自動台形歪補正機能が実行されている期間を認識することが可能となり、機能により画像が鮮明になったことを知ることができる。よって、利便性が向上する。ここで、オートフォーカス機能とは、画像表示装置において、フォーカスレンズ位置を調整して画像の焦点を自動で合焦する機能を示す。自動ズーム機能とは、画像表示装置において、予め決定した目標のズーム位置に、ズームレンズを移動させて位置合わせを行う機能を示す。自動台形歪補正機能とは、例えばプロジェクタ等の画像表示装置において、あおり投写を行った場合に生じる投写画像の歪（台形歪）を、補正する機能を示す。
【００１１】
［適用例３］上記適用例に係る画像表示装置において、前記画像制御部が行う前記画像鮮明化処理は、前記画像表示装置の電源オン時のウォームアップ処理であることを特徴とする。
【００１２】
このような画像表示装置によれば、電源オン時のウォームアップ処理を画像鮮明化処理とする。そして、通知部は、ウォームアップ処理の開始と終了とをユーザに通知する。これにより、ユーザは、ウォームアップ処理が実行されている期間を認識することが可能となり、ウォームアップ処理により画像が鮮明になったことを知ることができる。よって、利便性が向上する。
【００１３】
［適用例４］上記適用例に係る画像表示装置において、前記画像信号が入力される複数の入力端子から１つの前記入力端子を選択する入力選択部と、前記入力選択部が選択した前記入力端子に前記画像信号が入力されているか否かを検知する信号検知部と、前記入力選択部および前記信号検知部を制御して前記画像信号が入力されている前記入力端子を検索し、当該入力端子に入力されている前記画像信号に基づく前記画像を前記画像表示部に表示させる画像検索処理を行う画像検索部と、をさらに備え、前記画像制御部が行う前記画像鮮明化処理は、前記画像検索処理であることを特徴とする。
【００１４】
このような画像表示装置によれば、画像検索部は、入力選択部および信号検知部を制御し、画像表示部が表示する画像を検索する画像検索処理を行う。そして、画像検索処理を画像鮮明化処理とし、通知部は、画像検索処理の開始と終了とをユーザに通知する。これにより、ユーザは画像検索処理が実行されている期間を認識することが可能となり、画像検索処理により画像が選択されて表示され、鮮明になったことを知ることができる。よって、利便性が向上する。
【００１５】
［適用例５］上記適用例に係る画像表示装置において、前記画像表示装置は、ＵＳＢディスプレイ機能を有し、前記画像制御部が行う前記画像鮮明化処理は、前記画像表示装置がＵＳＢ接続手段を介してホスト機器との接続が行われた際の、前記ＵＳＢディスプレイ機能を活性化する処理であることを特徴とする。
【００１６】
このような画像表示装置によれば、ＵＳＢ（Universal Serial Bus）ディスプレイ機能を活性化する処理（以降、「ＵＳＢ活性化処理」と呼ぶ）を画像鮮明化処理とする。そして、通知部は、ＵＳＢ活性化処理の開始と終了とをユーザに通知する。これにより、ユーザは、ＵＳＢ活性化処理が実行されている期間を認識することが可能となり、ＵＳＢ活性化処理によって、ＵＳＢディスプレイ機能による表示が鮮明になったことを知ることができる。よって、利便性が向上する。ここで、ＵＳＢディスプレイ機能とは、例えば、パーソナルコンピュータ等の画像供給装置をＵＳＢ通信におけるホスト側とし、画像表示装置をＵＳＢ通信におけるデバイス側とし、ＵＳＢ接続手段（ＵＳＢケーブル等）を介して接続して画像を表示する機能を示す。
【００１７】
［適用例６］上記適用例に係る画像表示装置において、前記通知部は、音声を出力する音声出力装置を有して構成され、前記音声出力装置が出力する音声によって、前記画像鮮明化処理の開始と終了とを通知することを特徴とする。
【００１８】
このような画像表示装置によれば、通知部は音声出力装置を有して構成され、音声出力装置の音声によって画像鮮明化処理の開始と終了とを通知する。これにより、ユーザは、音声によって画像鮮明化処理の開始と終了とを認識することが可能となる。
【００１９】
［適用例７］上記適用例に係る画像表示装置において、前記通知部は、前記画像表示部が表示する前記画像によって前記画像鮮明化処理の開始と終了とを通知することを特徴とする。
【００２０】
このような画像表示装置によれば、通知部は画像表示部が表示する画像によって画像鮮明化処理の開始と終了とを通知する。これにより、ユーザは、画像によって画像鮮明化処理の開始と終了とを認識することが可能となる。
【００２１】
［適用例８］本適用例に係るプロジェクタは、光源と、前記光源から射出された光を画像信号に基づいて変調して画像を形成する光変調装置と、前記光変調装置で形成された前記画像を投写する投写光学系と、を有する画像投写部と、前記画像投写部が投写する前記画像を鮮明化する画像鮮明化処理を行う画像制御部と、前記画像制御部が行う前記画像鮮明化処理の開始と終了とを通知する通知部と、を備えたことを特徴とする。
【００２２】
このようなプロジェクタによれば、画像制御部は、画像投写部が投写する画像を鮮明化する画像鮮明化処理を行う。そして、通知部は、画像鮮明化処理の開始と終了とをユーザに通知する。これにより、ユーザは画像鮮明化処理が実行されている期間を認識することが可能となり、画像が鮮明になったことを知ることができる。よって、利便性が向上する。
【発明を実施するための最良の形態】
【００２３】
以下、実施形態について説明する。
【００２４】
（第１の実施形態）
第１の実施形態では、画像表示装置の実施形態として、画像信号に基づく画像を投写して、外部のスクリーン等に表示するプロジェクタについて説明する。
図１は、第１の実施形態に係るプロジェクタ１の概略構成を示すブロック図である。図１を使用して、プロジェクタ１の内部構成について説明する。
【００２５】
プロジェクタ１は、画像表示部としての画像投写部１０、制御部２０、入力操作部２１、光源制御部２２、フォーカス駆動部２３、フォーカス状態検出部２４、ズーム駆動部２５、ズーム状態検出部２６、傾斜検出部２７、ブザー駆動部２８、ブザー２９、画像入力端子群３０、入力選択部３１、画像処理部３２、キーストーン補正部３３、信号検知部３４、撮像部４０、画像解析部４１、測距部４２等を備えている。また、図１には、プロジェクタ１の外部に、スクリーンＳＣを図示している。
【００２６】
画像投写部１０は、超高圧水銀ランプやメタルハライドランプ等の放電型光源やＬＥＤ（Light Emitting Diode）等の固体光源からなる光源１１と、光変調装置としての液晶ライトバルブ１２と、投写レンズ１３と、液晶ライトバルブ１２を駆動するライトバルブ駆動部１４とを備えている。
【００２７】
液晶ライトバルブ１２は、一対の透明基板間に液晶が封入された透過型液晶パネル等によって構成される。ライトバルブ駆動部１４によって、液晶ライトバルブ１２の各画素に画像信号に応じた駆動電圧が印加されると、各画素は、画像信号に応じた光透過率で光源光を透過させる。
【００２８】
光源１１から射出された光は、この液晶ライトバルブ１２を透過することによって変調され、変調後の光が投写レンズ１３によって投写されることにより、スクリーンＳＣ等に画像信号に応じた画像が表示される。
【００２９】
投写レンズ１３は、フォーカスレンズ１３ａを有しており、フォーカスレンズ１３ａの位置を移動することで焦点調整（フォーカス調整）を可能としている。また、投写レンズ１３は、ズームレンズ１３ｂを有しており、ズーム状態を変更することで投写画角の調整を可能としている。
【００３０】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部２０は、ＣＰＵが不揮発性のメモリに記憶されている制御プログラムに従って動作することにより、プロジェクタ１の動作を統括制御する。また、制御部２０は、フォーカス制御部２０ａ、およびズーム制御部２０ｂを有している。
【００３１】
フォーカス制御部２０ａは、測距部４２からスクリーンＳＣまでの距離を入力する。この距離に基づき、フォーカス制御部２０ａは、フォーカス駆動部２３を制御してフォーカスレンズ１３ａを移動させ、フォーカス調整を行う。また、フォーカス制御部２０ａは、フォーカス状態検出部２４からフォーカスレンズ位置を表すフォーカス量を入力し、フォーカスレンズ１３ａの位置を判断する。
【００３２】
ズーム制御部２０ｂは、画像解析部４１から、後述する自動ズーム調整処理に基づく最適ズーム状態を入力して最適ズーム量を算出する。これらのズーム量に基づき、ズーム制御部２０ｂは、ズーム駆動部２５を制御してズームレンズ１３ｂを駆動させる。また、ズーム制御部２０ｂは、ズーム状態検出部２６からズーム状態を表すズーム量を入力し、投写レンズ１３のズーム状態を判断する。
【００３３】
入力操作部２１は、プロジェクタ１に対して各種指示を行うための複数のキー等を備えている。入力操作部２１が備えるキーとしては、電源のオン／オフを行うための「電源キー」や、オートフォーカス機能を実行するための「オートフォーカスキー」、自動ズーム調整機能を実行するための「自動ズームキー」、自動台形歪補正機能を実行するための「自動台形補正キー」、信号入力されている入力端子を検索する画像検索処理を実行するための「入力検索キー」等がある。さらに、各種設定を行うためのメニュー画面の表示／非表示を切り替える「メニューキー」、メニュー画面におけるカーソルの移動等に用いられる「カーソルキー」、各種設定を決定するための「決定キー」等も備えている。
【００３４】
ユーザが入力操作部２１を操作すると、入力操作部２１は、ユーザの操作内容に応じた操作信号を制御部２０に出力する。なお、入力操作部２１は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部２０に伝達する。
【００３５】
光源制御部２２は、制御部２０の指示に基づいて、光源１１に対する電力の供給と停止とを制御し、光源１１の点灯および消灯を切り替える。
【００３６】
フォーカス駆動部２３は、モータおよびギヤ等により構成され、フォーカス制御部２０ａからの制御に基づいて、フォーカスレンズ１３ａを駆動（移動）し、フォーカス調整を行う。
【００３７】
フォーカス状態検出部２４は、フォーカスレンズ１３ａの位置をフォーカス量として検出する。そして、検出結果であるフォーカス量をフォーカス制御部２０ａに出力する。本実施形態では、フォーカス量を検出する方法としては、フォーカスレンズ１３ａの変化量をエンコーダ等によって検出している。なお、フォーカス量を検出する他の方法としては、フォーカス駆動部２３のモータをステッピングモータとし、そのステッピングモータのステップ数に基づいて検出するようにしてもよい。
【００３８】
ズーム駆動部２５は、モータおよびギヤ等により構成され、ズーム制御部２０ｂからの制御に基づいて、ズームレンズ１３ｂを駆動し、投写レンズ１３のズーム状態を変更する。
【００３９】
ズーム状態検出部２６は、ズームレンズ１３ｂのズーム状態をズーム量として検出する。そして、検出結果であるズーム量をズーム制御部２０ｂに出力する。本実施形態では、ズーム量を検出する方法としては、ズームレンズ１３ｂの変化量をエンコーダ等によって検出している。なお、ズーム量を検出する他の方法としては、ズーム駆動部２５のモータをステッピングモータとし、そのステッピングモータのステップ数に基づいて検出するようにしてもよい。
【００４０】
傾斜検出部２７は、角度センサとして加速度センサ（図示せず）を有している。加速度センサは、プロジェクタ１をあおり投写した場合の傾斜角度を検出するようにプロジェクタ１の内部に実装されている。そして、傾斜検出部２７は、加速度センサが検出した傾斜角度を制御部２０に出力する。なお、本実施形態では、角度センサは加速度センサとしているが、これに限定するものではなく、プロジェクタ１の傾斜角度を検出するセンサであればよい。また、プロジェクタ１の投写画像を撮像部４０によって撮像し、撮像した画像を画像解析部４１が解析することによって、プロジェクタ１の傾斜角度を検出する方法を用いてもよい。
【００４１】
ブザー駆動部２８は、制御部２０の指示に基づいて、ブザー音を出力するようにブザー２９を駆動する。なお、本実施形態では、ブザー駆動部２８およびブザー２９が、通知部としての音声出力装置に相当し、ブザー音が音声に相当する。
【００４２】
画像入力端子群３０は、パーソナルコンピュータやビデオプレーヤ等、外部の画像供給装置（図示せず）から、各種形式の画像信号を入力可能な複数の画像入力端子３０ａを備えている。各画像入力端子３０ａに入力された画像信号は、入力選択部３１に供給される。
【００４３】
入力選択部３１は、複数の画像入力端子３０ａのうち、制御部２０の指示に基づく１つの画像入力端子３０ａを選択し、この画像入力端子３０ａに入力される画像信号を画像処理部３２及び信号検知部３４に出力する。
【００４４】
画像処理部３２は、入力選択部３１から入力される画像信号を、液晶ライトバルブ１２の各画素の階調を表す画像データ、即ち各画素に印加する駆動電圧を規定するための画像データに変換する。そして、制御部２０の指示に基づいて、変換した画像データに対して、明るさ、コントラスト、シャープネス、色合い等を調整するための処理等を行う。さらに、画像処理部３２では、必要に応じてＯＳＤ（オンスクリーンディスプレイ）画像を画像データに重畳する処理を行う。画像処理部３２で画質調整等がなされた画像データは、キーストーン補正部３３に出力される。
【００４５】
キーストーン補正部３３は、スクリーンＳＣに対してプロジェクタ１を傾けた状態で投写した場合に生じる台形歪を抑制するために、入力される画像データの補正を行う。補正のための情報は制御部２０、または画像解析部４１から入力する。そして、補正した画像データをライトバルブ駆動部１４に出力する。なお、台形歪の補正のための情報が無い場合には、前記補正を行わず、画像処理部３２から入力される画像データをそのままライトバルブ駆動部１４に出力する。
【００４６】
ライトバルブ駆動部１４は、入力される画像データに従って液晶ライトバルブ１２を駆動する。この結果、画像データに基づいた画像が画像投写部１０からスクリーンＳＣに投写される。
【００４７】
信号検知部３４は、入力選択部３１から画像信号を入力し、画像信号の入力の有無を検知する。そして、検知結果を制御部２０に出力する。
【００４８】
撮像部４０は、ＣＣＤカメラを有して構成されており、プロジェクタ１の投写レンズ１３と同一の側面に備えられている。撮像部４０は、画像解析部４１の指示に基づいて、スクリーンＳＣに投写された画像を撮像し、画像解析部４１に撮影画像を出力する。なお、撮像部４０は、ＣＣＤカメラに限定するものではなく、他の撮像デバイスを用いても良い。
【００４９】
画像解析部４１は、制御部２０の指示に基づいて、撮像部４０が撮像した撮影画像の画像データを分析して、自動ズーム調整処理に伴う「全投写領域枠およびスクリーン枠の検出」、「全投写領域枠およびスクリーン枠の射影変換」、「最適ズーム状態の算出」、「キーストーン補正のための情報の出力」等を行う。自動ズーム調整処理については後述する。
【００５０】
測距部４２は、測距センサを有して構成されており、プロジェクタ１の投写レンズ１３と同一の側面に備えられている。測距部４２は、フォーカス制御部２０ａの指示に基づいて、スクリーンＳＣとの距離を位相差検出方式によって測定し、測定結果をフォーカス制御部２０ａに出力する。なお、本実施形態では、測距方法は位相差検出方式としているが、これに限定するものではなく、他の方法を用いてもよい。
【００５１】
以上、プロジェクタ１の構成について説明を行った。次に、プロジェクタ１の機能および処理について、下記の順序で説明する。
Ａ．オートフォーカス機能：
Ｂ．自動ズーム機能：
Ｃ．自動台形歪補正機能：
Ｄ．電源オン時のウォームアップ処理：
Ｅ．画像検索処理：
【００５２】
Ａ．オートフォーカス機能：
まず、プロジェクタ１におけるオートフォーカス機能について説明する。オートフォーカス機能を実現するオートフォーカス処理は、ユーザによって、入力操作部２１に備えられたオートフォーカスキーを押下されることにより実行される。また、オートフォーカス機能は、自動ズーム機能や自動台形歪補正機能と共に、オートセットアップ機能の中の１つの機能として実行されるものとしてもよい。
図２は、オートフォーカス処理を示すフローチャートである。
【００５３】
フォーカス制御部２０ａは、ブザー駆動部２８に指示を行い、オートフォーカス機能の開始の通知としてブザー２９を鳴動させる（ステップＳ１０１）。なお、鳴動時間は、例えば０．５秒程度とする。次に、フォーカス制御部２０ａからの指示により、測距部４２は、スクリーンＳＣまでの距離を測定し、フォーカス制御部２０ａに通知する（ステップＳ１０２）。フォーカス制御部２０ａは、測定した距離に基づき、目標のフォーカスレンズ位置（フォーカス量）を算出する（ステップＳ１０３）。次に、フォーカス制御部２０ａは、目標のフォーカスレンズ位置となるように、フォーカス駆動部２３にフォーカスレンズ１３ａの駆動を開始させる（ステップＳ１０４）。
【００５４】
フォーカス制御部２０ａは、フォーカス状態検出部２４からフォーカスレンズ位置を読み出して、目標のフォーカスレンズ位置となったか否かを判断する（ステップＳ１０５）。フォーカス制御部２０ａは、目標のフォーカスレンズ位置になるまで待ち続ける（ステップＳ１０５：ＮＯ）。目標のフォーカスレンズ位置となったら（ステップＳ１０５：ＹＥＳ）、フォーカス制御部２０ａは、フォーカス駆動部２３にフォーカスレンズ１３ａの駆動を停止させる（ステップＳ１０６）。そして、フォーカス制御部２０ａは、ブザー駆動部２８に指示を行い、オートフォーカス機能の終了の通知としてブザー２９を鳴動させる（ステップＳ１０７）。そして、オートフォーカス処理を終了する。
【００５５】
上述したように、ユーザがオートフォーカス機能を実行することで、プロジェクタ１は、スクリーンＳＣまでの距離を目標としてフォーカスレンズ１３ａを駆動し、合焦させることができる。このようなオートフォーカス処理が画像鮮明化処理に相当し、このときのフォーカス制御部２０ａが画像制御部に相当する。
【００５６】
Ｂ．自動ズーム機能：
次に、プロジェクタ１における自動ズーム機能について説明する。自動ズーム機能を実現する自動ズーム処理は、ユーザによって、入力操作部２１に備えられた自動ズームキーを押下されることにより実行される。また、自動ズーム機能は、オートフォーカス機能と共に、オートセットアップ機能の中の１つの機能として実行されるものとしてもよい。
図３は、自動ズーム処理を示すフローチャートである。
【００５７】
ズーム制御部２０ｂは、ブザー駆動部２８に指示を行い、自動ズーム機能の開始の通知としてブザー２９を鳴動させる（ステップＳ２０１）。なお、鳴動時間は、例えば０．５秒程度とする。次に、ズーム制御部２０ｂは、自動ズーム調整処理（サブルーチン）を実行する（ステップＳ２０２）。そして、ズーム制御部２０ｂは、ブザー駆動部２８に指示を行い、自動ズーム機能の終了の通知としてブザー２９を鳴動させる（ステップＳ２０３）。そして、自動ズーム処理を終了する。
【００５８】
次に、プロジェクタ１における自動ズーム調整処理サブルーチンについて説明する。ここで説明する自動ズーム調整処理は、特開２００６−５５３４号公報に開示されているズーム調整キーストーン補正処理と同様としている。よって、説明は概略のみとする。
【００５９】
プロジェクタ１は、自動的にズーム調整とキーストーン補正とを行うズーム調整キーストーン補正処理を行うことができる。ズーム調整は、投写される画像が、スクリーンＳＣ上からはみ出さず、かつ、できるだけ大きく表示されるように、ズーム状態の調整を行う処理である。また、キーストーン補正は、スクリーンＳＣ上の表示画像の台形歪を補正する処理である。
【００６０】
図４は、ズーム調整キーストーン補正処理（サブルーチン）の流れを示すフローチャート（特開２００６−５５３４号公報の図３と同様のフローチャート（但し、ステップ番号は変更））である。
【００６１】
ステップＳ３０１では、画像処理部３２が、全投写領域検出用パターンを投写する。全投写領域とは、液晶ライトバルブ１２の画像形成領域中のすべての領域に対応する画像光が投写されるスクリーンＳＣ上またはスクリーンＳＣの背後の壁面上の領域を意味している。また、画像形成領域とは、ライトバルブ駆動部１４に入力された画像データ信号を表示可能な液晶ライトバルブ１２のパネル面上の領域を意味している。
【００６２】
ステップＳ３０２では、撮像部４０が、全投写領域とスクリーンＳＣとを撮像し、全投写領域とスクリーンＳＣとが写し出された撮影画像を生成し、撮影画像メモリ（図示せず）内に格納する。撮像部４０のＣＣＤカメラのレンズの光軸は、投写レンズ１３の光軸とほぼ平行に設定されている。ただし、ＣＣＤカメラのレンズの光軸と投写レンズ１３の光軸とは厳密に平行には設定されておらず、全投写領域枠は、わずかに台形状に歪む。
【００６３】
ステップＳ３０３では、画像解析部４１が、撮影画像の画像データを分析して、全投写領域枠とスクリーン枠とを検出する。ここで、全投写領域枠とは、液晶ライトバルブ１２のパネル面の画像形成領域中のすべての領域に対応する画像光が投写される全投写領域の外周を示す。また、スクリーンＳＣの外周に沿った黒色の枠をスクリーン枠と呼ぶ。全投写領域枠およびスクリーン枠は、撮影画像のコントラスト比を測定し、コントラスト比が大きい画素を抽出することにより検出する。
【００６４】
ステップＳ３０４では、画像解析部４１が、全投写領域枠およびスクリーン枠の射影変換を行う。この射影変換は、撮像部４０のＣＣＤカメラのレンズの光軸と投写レンズ１３の光軸とのずれを補償するために行うものである。
【００６５】
ステップＳ３０５では、画像解析部４１が、最適ズーム状態を算出する。ここで、最適ズーム状態とは、液晶ライトバルブ１２のパネル面上に形成される有効パネル画像の解像度の低下を抑制しつつキーストーン補正を行う際に、スクリーンＳＣ上に画像をできるだけ大きく表示させることができるズーム状態を意味している。
【００６６】
図５は、スクリーン上の画像の投写状態を示す説明図であり、同図（ａ）は、ズーム調整キーストーン補正処理前の投写状態を示す図であり、同図（ｂ）は、ズーム調整キーストーン補正処理後の投写状態を示す図である。最適ズーム状態は、図５（ｂ）に示すように、全投写領域ＰＡがスクリーンＳＣを包含し、かつ全投写領域ＰＡの外周がスクリーンＳＣの外周（スクリーン枠ＳＣＷ）と接しているようなズーム状態である。このような状態での全投写領域枠を、最適ズーム調整後全投写領域枠と呼ぶ。最適ズーム調整後全投写領域枠が求まったら、全投写領域枠からの拡大の倍率（最適倍率Ｍｂ）を算出する。
【００６７】
図４に戻り、ステップＳ３０６では、ズーム状態検出部２６が、投写レンズ１３の現在のズーム状態を検出する。検出された現在のズーム状態に相当するズーム量をＺｐと表す。
【００６８】
ステップＳ３０７では、ズーム制御部２０ｂがズーム駆動部２５に指示を出してズーム調整を実行する。ズーム調整は、ズーム量が最適ズーム状態に対応した値（以下「最適ズーム量」と呼ぶ）となるように行う。なお、最適ズーム量は、ステップＳ３０６で算出した現在のズーム量Ｚｐに、ステップＳ３０５で算出した最適倍率Ｍｂを乗じて算出する。
【００６９】
ステップＳ３０８では、キーストーン補正部３３が、画像解析部４１から入力したキーストーン補正のための情報に基づいてキーストーン補正を実行する。本実施形態のキーストーン補正は、全投写領域ＰＡの内のスクリーンＳＣ上に収まっている領域（補正後投写領域ＲＡ）のみに画像を投写するために、補正後投写領域ＲＡに対応する液晶ライトバルブ１２の画像形成領域中の領域（補正後画像形成領域）のみに有効パネル画像を形成することにより行う。なお、画像形成領域中の補正後の画像形成領域を除く領域には、光源１１から射出された光を透過させないように全黒画像が形成される。
【００７０】
ズーム調整キーストーン補正処理後は、図５（ｂ）に示すように、補正後投写領域ＲＡがスクリーンＳＣのスクリーン枠ＳＣＷ内に収まる。従って、ズーム状態が最適ズーム状態となっており、かつ、キーストーン補正が行われている。なお、全投写領域ＰＡの内の補正後投写領域ＲＡを除く領域には、画像光は投写されない。また、図５（ａ）には、ズーム調整キーストーン補正処理前のスクリーン上の画像を示している。
【００７１】
以上説明したように、本実施例のプロジェクタ１は、自動ズーム処理（ズーム調整キーストーン補正処理）を行うことができる。このとき、液晶ライトバルブ１２上の画像形成領域中の補正後画像形成領域はできる限り大きく設定されるため、有効パネル画像の解像度の低下を抑制することができる。
【００７２】
このような自動ズーム処理が画像鮮明化処理に相当し、このときのズーム制御部２０ｂが画像制御部に相当する。
【００７３】
Ｃ．自動台形歪補正機能：
次に、プロジェクタ１における自動台形歪補正機能について説明する。本実施形態では、プロジェクタ１は、自動ズーム機能に伴うキーストーン補正処理とは別に、自動台形歪補正機能を有している。自動台形歪補正機能とは、プロジェクタ１を傾斜させ、あおり投写を行った場合に生じる投写画像の台形歪を、傾斜角度に応じて補正する機能を示す。
【００７４】
自動台形歪補正機能を実現する自動台形歪補正処理は、ユーザによって、入力操作部２１に備えられた自動台形歪補正キーを押下されることにより実行される。また、自動台形歪補正機能は、オートフォーカス機能等と共に、オートセットアップ機能の中の１つの機能として実行されるものとしてもよい。
図６は、自動台形歪補正処理を示すフローチャートである。
【００７５】
制御部２０は、ブザー駆動部２８に指示を行い、自動台形歪補正機能の開始の通知としてブザー２９を鳴動させる（ステップＳ４０１）。なお、鳴動時間は、例えば０．５秒程度とする。次に、制御部２０は、傾斜検出部２７から傾斜角度を入力する（ステップＳ４０２）。制御部２０は、傾斜角度に応じた台形歪補正値を算出する（ステップＳ４０３）。キーストーン補正部３３は、制御部２０から台形歪補正値を入力し、その台形歪補正値に基づいて台形歪補正を行う（ステップＳ４０４）。
【００７６】
そして、制御部２０は、ブザー駆動部２８に指示を行い、自動台形歪補正機能の終了の通知としてブザー２９を鳴動させる（ステップＳ４０５）。そして、自動台形歪補正処理を終了する。
【００７７】
このような自動台形歪補正処理が画像鮮明化処理に相当し、このときの制御部２０が画像制御部に相当する。
【００７８】
Ｄ．電源オン時のウォームアップ処理：
次に、プロジェクタ１における電源オン時のウォームアップ処理について説明する。ウォームアップ処理は、ユーザによって、入力操作部２１に備えられた電源キーが押下されてプロジェクタ１が電源オンされたときに実行される。
図７は、ウォームアップ処理を示すフローチャートである。
【００７９】
制御部２０は、ブザー駆動部２８に指示を行い、ウォームアップ処理の開始の通知としてブザー２９を鳴動させる（ステップＳ５０１）。なお、鳴動時間は、例えば０．５秒程度とする。次に、制御部２０は、起動処理を行う（ステップＳ５０２）。本実施形態では、起動処理は、ＣＰＵの初期化やＲＡＭ等のメモリの初期化、および自己診断等を行う。また、その他のソフトウェアやハードウェアの初期化、および自己診断等も行う。
【００８０】
次に、制御部２０は、光源制御部２２に指示を出して、光源１１を点灯させる（ステップＳ５０３）。そして、制御部２０は、図示しないタイマ等によって、光源１１が安定したか否かを判断する（ステップＳ５０４）。制御部２０は、光源１１が安定するまで待ち続ける（ステップＳ５０４：ＮＯ）。光源１１が安定したら（ステップＳ５０４：ＹＥＳ）、制御部２０は、ブザー駆動部２８に指示を行い、ウォームアップ処理の終了の通知としてブザー２９を鳴動させる（ステップＳ５０５）。そして、電源オン時のウォームアップ処理を終了する。
【００８１】
このようなウォームアップ処理が画像鮮明化処理に相当し、このときの制御部２０が画像制御部に相当する。
【００８２】
Ｅ．画像検索処理：
次に、プロジェクタ１における画像検索処理について説明する。画像検索処理は、ユーザによって、入力操作部２１に備えられた入力検索キーを押下されることにより実行される。
図８は、画像検索処理を示すフローチャートである。
【００８３】
制御部２０は、ブザー駆動部２８に指示を行い、画像検索処理の開始の通知としてブザー２９を鳴動させる（ステップＳ６０１）。なお、鳴動時間は、例えば０．５秒程度とする。次に、制御部２０からの指示により、入力選択部３１は、次の画像入力端子３０ａを選択して切り替える（ステップＳ６０２）。制御部２０は、画像入力端子３０ａの切り替えが一周したか否か（即ち、全ての画像入力端子３０ａに切り替えたか否か）を判断する（ステップＳ６０３）。画像入力端子３０ａの切り替えが一周していなければ（ステップＳ６０３：ＮＯ）、信号検知部３４は、入力選択部３１が選択した画像入力端子３０ａに画像信号が入力されているか否かを検知する（ステップＳ６０４）。
【００８４】
入力選択部３１が選択した画像入力端子３０ａに画像信号が入力されていれば（ステップＳ６０４：ＹＥＳ）、制御部２０は、画像処理部３２に指示を行い、選択された画像入力端子３０ａに入力されている画像信号を画像表示出力（画像投写）させる（ステップＳ６０５）。制御部２０は、ブザー駆動部２８に指示を行い、画像検索処理の終了の通知としてブザー２９を鳴動させる（ステップＳ６０６）。そして、画像検索処理を終了する。
【００８５】
入力選択部３１が選択した画像入力端子３０ａに画像信号が入力されていなければ（ステップＳ６０４：ＮＯ）、ステップＳ６０２に戻り、次の画像入力端子３０ａに切り替える。また、画像入力端子３０ａの切り替えが一周したら（ステップＳ６０３：ＹＥＳ）、ステップＳ６０６に移行し、ブザーを鳴動して終了する。
【００８６】
このような画像検索処理が画像鮮明化処理に相当し、このときの制御部２０が画像制御部に相当する。また、入力選択部３１、信号検知部３４、および制御部２０が画像検索部に相当する。
【００８７】
上述した第１の実施形態によれば、以下の効果が得られる。
（１）プロジェクタ１は、「Ａ．オートフォーカス機能」を備えている。そして、オートフォーカス機能の開始および終了の通知としてブザー２９を鳴動する。これにより、ユーザは、オートフォーカス機能が実行されて投写画像が不鮮明となっている期間（例えば、オートフォーカス調整中のピントがぼやけている期間）を認識することが可能となる。そして、ユーザは、オートフォーカス機能が終了して投写画像が鮮明になるのを待って、プレゼンテーション等を開始することができる。よって、利便性が向上する。また、プロジェクタ１は、ブザー２９によるブザー音で通知するため、ユーザは、投写画像を目視しなくてもオートフォーカス機能が実行されていることを認識可能であり、オートフォーカス機能が実行されている期間に、プレゼンテーションの準備等の作業を行うことができるため、有益である。
【００８８】
（２）プロジェクタ１は、「Ｂ．自動ズーム機能」を備えている。そして、自動ズーム機能の開始および終了の通知としてブザー２９を鳴動する。これにより、ユーザは、自動ズーム機能が実行されて投写画像が不鮮明となっている期間（例えば、全投写領域検出用パターンの投写や、ズーム調整、キーストーン補正を行っており、投写領域枠が変化している期間）を認識することが可能となる。そして、ユーザは、自動ズーム機能が終了して投写画像が鮮明になるのを待って、プレゼンテーション等を開始することができる。よって、利便性が向上する。また、プロジェクタ１は、ブザー２９によるブザー音で通知するため、ユーザは、投写画像を目視しなくても自動ズーム機能が実行されていることを認識可能であり、自動ズーム機能が実行されている期間に、プレゼンテーションの準備等の作業を行うことができるため、有益である。
【００８９】
（３）プロジェクタ１は、「Ｃ．自動台形歪補正機能」を備えている。そして、自動台形歪補正機能の開始および終了の通知としてブザー２９を鳴動する。これにより、ユーザは、自動台形歪補正機能が実行されて投写画像が不鮮明となっている期間（例えば、自動台形歪補正機能により、投写領域枠が変化している期間）を認識することが可能となる。そして、ユーザは、自動台形歪補正機能が終了して投写画像が鮮明になるのを待って、プレゼンテーション等を開始することができる。よって、利便性が向上する。また、プロジェクタ１は、ブザー２９によるブザー音で通知するため、ユーザは、投写画像を目視しなくても自動台形歪補正機能が実行されていることを認識可能であり、自動台形歪補正機能が実行されている期間に、プレゼンテーションの準備等の作業を行うことができるため、有益である。
【００９０】
（４）プロジェクタ１は、「Ｄ．電源オン時のウォームアップ処理」を行う。そして、ウォームアップ処理の開始および終了の通知としてブザー２９を鳴動する。これにより、ユーザは、ウォームアップ処理が実行されて投写画像が不鮮明となっている期間（例えば、投写画像が表示されていなかったり、投写画像が暗かったりする期間）を認識することが可能となる。そして、ユーザは、ウォームアップ処理が終了して投写画像が鮮明になるのを待って、プレゼンテーション等を開始することができる。よって、利便性が向上する。また、プロジェクタ１は、ブザー２９によるブザー音で通知するため、ユーザは、投写画像を目視しなくてもウォームアップ処理が実行されていることを認識可能であり、ウォームアップ処理が実行されている期間に、プレゼンテーションの準備等の作業を行うことができるため、有益である。
【００９１】
（５）プロジェクタ１は、「Ｅ．画像検索処理」を備えている。そして、画像検索処理の開始および終了の通知としてブザー２９を鳴動する。これにより、ユーザは、画像検索処理が実行されて投写画像が不鮮明となっている期間（例えば、画像検索処理のため、無表示になっている期間）を認識することが可能となる。そして、ユーザは、画像検索処理が終了して投写画像が鮮明になるのを待って、プレゼンテーション等を開始することができる。よって、利便性が向上する。また、プロジェクタ１は、ブザー２９によるブザー音で通知するため、ユーザは、投写画像を目視しなくても画像検索処理が実行されていることを認識可能であり、画像検索処理が実行されている期間に、プレゼンテーションの準備等の作業を行うことができるため、有益である。
【００９２】
（第２の実施形態）
以下、第２の実施形態について説明する。第２の実施形態では、画像表示装置の実施形態として、画像信号に基づく画像をＵＳＢディスプレイ機能により投写して、外部のスクリーン等に表示するプロジェクタについて説明する。
【００９３】
図９は、第２の実施形態に係るプロジェクタ２の概略構成を示すブロック図である。図９を使用して、プロジェクタ２の内部構成について説明する。
【００９４】
プロジェクタ２は、画像表示部としての画像投写部１０、制御部４５、入力操作部２１、光源制御部２２、ブザー駆動部２８、ブザー２９、ＵＳＢ通信部３５、画像処理部３６等を備えている。また、図９には、プロジェクタ２の外部に、スクリーンＳＣを図示している。
【００９５】
画像投写部１０の構成は、第１の実施形態と同様である。よって、説明は省略する。液晶ライトバルブ１２は、第１の実施形態と同様である。よって、説明は省略する。光源１１は、第１の実施形態と同様である。よって、説明は省略する。投写レンズ１３は、第１の実施形態と同様である。よって、説明は省略する。
【００９６】
制御部４５は、ＣＰＵ、各種データの一時記憶等に用いられるＲＡＭ、および、マスクＲＯＭやフラッシュメモリ、ＦｅＲＡＭ等の不揮発性のメモリ等（いずれも図示せず）を備え、コンピュータとして機能するものである。制御部４５は、ＣＰＵが不揮発性のメモリに記憶されている制御プログラムに従って動作することにより、プロジェクタ２の動作を統括制御する。また、制御部４５は、ＵＳＢ制御部４５ａを有している。
【００９７】
ＵＳＢ制御部４５ａは、ＵＳＢ通信部３５とＵＳＢ通信に関する各種通信情報を入出力したり、ＵＳＢ通信部３５を制御したりして、ＵＳＢディスプレイ機能を実現する。
【００９８】
入力操作部２１は、第１の実施形態と同様である。よって、説明は省略する。光源制御部２２は、第１の実施形態と同様である。よって、説明は省略する。ブザー駆動部２８およびブザー２９は、第１の実施形態と同様である。よって、説明は省略する。
【００９９】
ＵＳＢ通信部３５は、パーソナルコンピュータ等のホスト機器としての画像供給装置１００と、ＵＳＢ接続手段としてのＵＳＢケーブルＣＢを介して、画像信号および各種通信情報信号を送受信可能なＵＳＢ端子（図示せず）を備えている。ＵＳＢ端子で受信された画像信号は、画像処理部３６に出力される。また、各種通信情報信号に基づく各種通信情報は、ＵＳＢ制御部４５ａに出力される。
【０１００】
画像処理部３６は、ＵＳＢ通信部３５から入力される画像信号を、液晶ライトバルブ１２の各画素の階調を表す画像データ、即ち各画素に印加する駆動電圧を規定するための画像データに変換する。そして、制御部４５の指示に基づいて、変換した画像データに対して、明るさ、コントラスト、シャープネス、色合い等を調整するための処理等を行う。さらに、画像処理部３６では、必要に応じてＯＳＤ（オンスクリーンディスプレイ）画像を画像データに重畳する処理を行う。画像処理部３６で画質調整等がなされた画像データは、ライトバルブ駆動部１４に出力される。
【０１０１】
ライトバルブ駆動部１４は、入力される画像データに従って液晶ライトバルブ１２を駆動する。この結果、画像データに基づいた画像が画像投写部１０からスクリーンＳＣに投写される。
【０１０２】
次に、プロジェクタ２におけるＵＳＢ活性化処理について説明する。ＵＳＢ活性化処理は、ユーザによって、画像供給装置１００とプロジェクタ２とがＵＳＢケーブルＣＢによって接続されることにより実行され、ＵＳＢディスプレイ機能を活性化させる処理である。
図１０は、プロジェクタ２のＵＳＢ活性化処理を示すフローチャートである。
【０１０３】
ＵＳＢケーブルＣＢが接続されると、ＵＳＢ通信部３５は、ＵＳＢ接続されたことを認識してＵＳＢ制御部４５ａに通知する（ステップＳ７０１）。ＵＳＢ制御部４５ａは、ブザー駆動部２８に指示を行い、ＵＳＢ活性化処理の開始の通知としてブザー２９を鳴動させる（ステップＳ７０２）。なお、鳴動時間は、例えば０．５秒程度とする。
【０１０４】
ＵＳＢ通信部３５は、ＵＳＢマスストレージクラスのデバイスとして、ホスト側である画像供給装置１００に各種の応答を送信する（ステップＳ７０３）。そして、ＵＳＢ通信部３５およびＵＳＢ制御部４５ａは、画像供給装置１００からの接続制御コマンドや接続要求、接続情報等を受信する（ステップＳ７０４）。
【０１０５】
そして、ＵＳＢ制御部４５ａは、接続情報等に基づいて画素数や色深度等の設定といったＵＳＢディスプレイ機能の初期化を行う（ステップＳ７０５）。初期化が完了したら、ＵＳＢ通信部３５は、画像供給装置１００に初期化完了通知を送信する（ステップＳ７０６）。ＵＳＢ制御部４５ａは、ブザー駆動部２８に指示を行い、ＵＳＢ活性化処理の終了の通知としてブザー２９を鳴動させる（ステップＳ７０７）。そして、ＵＳＢ活性化処理を終了する。
【０１０６】
このようなＵＳＢ活性化処理が画像鮮明化処理に相当し、このときのＵＳＢ制御部４５ａおよびＵＳＢ通信部３５が画像制御部に相当する。
【０１０７】
上述したように、プロジェクタ２は、ＵＳＢケーブルＣＢが接続されたときに、ＵＳＢ活性化処理を実行する。こうしてＵＳＢディスプレイ機能が活性化されることにより、プロジェクタ２は、画像供給装置１００から受信した画像信号を画像として表示することが可能となる。
【０１０８】
上述した第２の実施形態によれば、以下の効果が得られる。
（１）プロジェクタ２は、ＵＳＢ活性化処理を行う。そして、ＵＳＢ活性化処理の開始および終了の通知としてブザー２９を鳴動する。これにより、ユーザは、ＵＳＢ活性化処理が実行されて投写画像が不鮮明となっている期間（例えば、ＵＳＢ活性化処理中のため、無表示になっている期間）を認識することが可能となる。そして、ユーザは、ＵＳＢ活性化処理が終了して投写画像が鮮明になるのを待って、プレゼンテーション等を開始することができる。よって、利便性が向上する。また、プロジェクタ２は、ブザー２９によるブザー音で通知するため、ユーザは、投写画像を目視しなくてもＵＳＢ活性化処理が実行されていることを認識可能であり、ＵＳＢ活性化処理が実行されている期間に、プレゼンテーションの準備等の作業を行うことができるため、有益である。
【０１０９】
（第３の実施形態）
以下、第３の実施形態について説明する。第３の実施形態では、画像表示装置の実施形態として、画像信号に基づく画像を液晶パネルに表示する液晶ディスプレイについて説明する。
【０１１０】
図１１は、第３の実施形態に係る液晶ディスプレイ３の概略構成を示すブロック図である。図１１を使用して、液晶ディスプレイ３の内部構成について説明する。
【０１１１】
液晶ディスプレイ３は、画像表示部６０、制御部５０、入力操作部５１、バックライト制御部５２、ブザー駆動部２８、ブザー２９、画像入力端子群３０、入力選択部３１、画像処理部３２、信号検知部３４等を備えている。
【０１１２】
画像表示部６０は、液晶パネル６１と、液晶パネル６１を駆動するパネル駆動部６２とを備えている。また、液晶パネルのバックライト６３も備えている。
【０１１３】
パネル駆動部６２によって、液晶パネル６１の各画素に画像信号に応じた駆動電圧が印加されると、各画素は、画像信号に応じた光透過率でバックライト６３からの光を透過させる。
【０１１４】
制御部５０は、ＣＰＵ、各種データの一時記憶等に用いられるＲＡＭ、および、マスクＲＯＭやフラッシュメモリ、ＦｅＲＡＭ等の不揮発性のメモリ等（いずれも図示せず）を備え、コンピュータとして機能するものである。制御部５０は、ＣＰＵが不揮発性のメモリに記憶されている制御プログラムに従って動作することにより、液晶ディスプレイ３の動作を統括制御する。
【０１１５】
入力操作部５１は、液晶ディスプレイ３に対して各種指示を行うための複数のキー等を備えている。入力操作部５１が備えるキーとしては、電源のオン／オフを行うための「電源キー」や、信号入力されている入力端子を検索する画像検索処理を実行するための「入力検索キー」がある。さらに、各種設定を行うためのメニュー画面の表示／非表示を切り替える「メニューキー」、メニュー画面におけるカーソルの移動等に用いられる「カーソルキー」、各種設定を決定するための「決定キー」等も備えている。
【０１１６】
ユーザが入力操作部５１を操作すると、入力操作部５１は、ユーザの操作内容に応じた操作信号を制御部５０に出力する。なお、入力操作部５１は、リモコン信号受信部（図示せず）と遠隔操作が可能なリモートコントローラ（図示せず）を有した構成としてもよい。この場合、リモートコントローラは、ユーザの操作内容に応じた赤外線等の操作信号を発し、リモコン信号受信部がこれを受信して制御部５０に伝達する。
【０１１７】
バックライト制御部５２は、制御部５０の指示に基づいて、バックライト６３に対する電力の供給と停止とを制御し、バックライト６３の点灯および消灯を切り替える。
【０１１８】
ブザー駆動部２８およびブザー２９は、第１の実施形態と同様である。よって、説明は省略する。画像入力端子群３０は、第１の実施形態と同様である。よって、説明は省略する。入力選択部３１は、第１の実施形態と同様である。よって、説明は省略する。
【０１１９】
画像処理部３２は、入力選択部３１から入力される画像信号を、液晶パネル６１の各画素の階調を表す画像データ、即ち各画素に印加する駆動電圧を規定するための画像データに変換する。そして、制御部５０の指示に基づいて、変換した画像データに対して、明るさ、コントラスト、シャープネス、色合い等を調整するための処理等を行う。さらに、画像処理部３２では、必要に応じてＯＳＤ（オンスクリーンディスプレイ）画像を画像データに重畳する処理を行う。画像処理部３２で画質調整等がなされた画像データは、パネル駆動部６２に出力される。
【０１２０】
パネル駆動部６２は、入力される画像データに従って液晶パネル６１を駆動する。この結果、画像データに基づいた画像が表示される。
【０１２１】
信号検知部３４は、入力選択部３１から画像信号を入力し、画像信号の入力の有無を検知する。そして、検知結果を制御部５０に出力する。
【０１２２】
上述した構成により、液晶ディスプレイ３は、ユーザによって、入力操作部５１に備えられた電源キーが押下されて電源オンされたときにウォームアップ処理を実行する。ウォームアップ処理の内容は、第１の実施形態と同様とする。よって、説明は省略する。なお、第１の実施形態における光源１１は、本実施形態では、バックライト６３に相当する。
このようなウォームアップ処理が画像鮮明化処理に相当し、このときの制御部５０が画像制御部に相当する。
【０１２３】
また、液晶ディスプレイ３は、ユーザによって、入力操作部５１に備えられた入力検索キーを押下されることにより画像検索処理を実行する。なお、画像検索処理は、例えば電源オンに伴って自動的に実行されるものとすることも可能である。画像検索処理の内容は、第１の実施形態と同様とする。よって、説明は省略する。
このような画像検索処理が画像鮮明化処理に相当し、このときの制御部５０が画像制御部に相当する。また、入力選択部３１、信号検知部３４、および制御部５０が画像検索部に相当する。
【０１２４】
上述した第３の実施形態によれば、以下の効果が得られる。
（１）液晶ディスプレイ３は、電源オン時のウォームアップ処理を行う。そして、ウォームアップ処理の開始および終了の通知としてブザー２９を鳴動する。これにより、ユーザは、ウォームアップ処理が実行されて表示画像が不鮮明となっている期間（例えば、投写画像が表示されていなかったり、投写画像が暗かったりする期間）を認識することが可能となる。そして、ユーザは、ウォームアップ処理が終了して表示画像が鮮明になるのを待って、プレゼンテーション等を開始することができる。よって、利便性が向上する。また、液晶ディスプレイ３は、ブザー２９によるブザー音で通知するため、ユーザは、表示画像を目視しなくてもウォームアップ処理が実行されていることを認識可能であり、ウォームアップ処理が実行されている期間に、プレゼンテーションの準備等の作業を行うことができるため、有益である。
【０１２５】
（２）液晶ディスプレイ３は、画像検索処理を備えている。そして、画像検索処理の開始および終了の通知としてブザー２９を鳴動する。これにより、ユーザは、画像検索処理が実行されて表示画像が不鮮明となっている期間（例えば、画像検索処理のため、無表示になっている期間）を認識することが可能となる。そして、ユーザは、画像検索処理が終了して表示画像が鮮明になるのを待って、プレゼンテーション等を開始することができる。よって、利便性が向上する。また、液晶ディスプレイ３は、ブザー２９によるブザー音で通知するため、ユーザは、表示画像を目視しなくても画像検索処理が実行されていることを認識可能であり、画像検索処理が実行されている期間に、プレゼンテーションの準備等の作業を行うことができるため、有益である。
【０１２６】
なお、上述した実施形態に限定されず、種々の変更や改良等を加えて実施することが可能である。変形例を以下に述べる。
【０１２７】
（変形例１）上記第１の実施形態では、オートフォーカス機能、自動ズーム機能、および自動台形歪補正機能のそれぞれの機能について、開始および終了をユーザに通知しているが、これらの機能を複数組み合わせて一連の機能とするオートセットアップ機能とした場合は、オートセットアップ機能の開始および終了をユーザに通知するものとしてもよい。こうすれば、ユーザは、オートセットアップ機能の開始と終了のみを認識することが可能となり、個々の機能の開始や終了を認識しなくてもよくなるため、煩雑さが低減される。
【０１２８】
（変形例２）上記第１乃至第３の実施形態では、画像鮮明化処理の開始および終了を通知するために、音声出力装置としてブザー駆動部２８およびブザー２９を使用しているが、画像投写部１０または画像表示部６０が表示する画像によって通知してもよい。例えば、画像処理部（３２，３６）によって、画像鮮明化処理の開始および終了を通知するＯＳＤ画像を画像データに重畳して、画像投写部１０または画像表示部６０から表示することができる。これにより、ユーザは、視覚的に画像鮮明化処理の開始および終了を認識することができる。
【０１２９】
表示する画像の例として、第１の実施形態のオートフォーカス機能を用いて説明する。図１２は、オートフォーカス機能の開始および終了を画像によって通知する画面の図であり、同図（ａ）は、オートフォーカス機能開始時を示す画面図であり、同図（ｂ）は、オートフォーカス機能終了時を示す画面図である。図１２（ａ）に示すように、オートフォーカス機能開始時を示す画面Ｇ１においては、画面右下部に、「オートフォーカス開始」と表示する。また、図１２（ｂ）に示すように、オートフォーカス機能終了（完了）時を示す画面Ｇ２においては、画面右下部に、「オートフォーカス完了」と表示する。
【０１３０】
（変形例３）上記第１乃至第３の実施形態では、画像鮮明化処理の開始および終了を通知するために、音声出力装置としてブザー駆動部２８およびブザー２９を使用しているが、音声合成装置およびスピーカ（いずれも図示せず）等を備えて、音声合成した人間の声によって通知してもよい。例えば、機能（処理）の種類、および、開始か終了かを、人間の声によって通知することにより、ユーザは、容易に機能（処理）の種類、および、開始か終了かを認識することができる。
【０１３１】
（変形例４）上記第１乃至第３の実施形態では、ブザー２９の鳴動時間は、０．５秒程度としているが、これに限定するものではない。また、開始通知の鳴動時間と終了通知の鳴動時間とを異なる時間としてもよい。また、鳴動パターン（音の種類やパターン）についても、開始通知の鳴動パターンと終了通知の鳴動パターンとを異なるパターンにしてもよい。さらに、機能（処理）の種類によって、鳴動時間や鳴動パターンを変更してもよい。こうすれば、ユーザは、各画像鮮明化処理の開始と終了とを、鳴動時間や鳴動パターンで区別して認識することができる。
【０１３２】
（変形例５）上記第１の実施形態では、オートフォーカス機能、自動ズーム機能、自動台形歪補正機能、および画像検索処理は、ユーザによって、入力操作部２１に備えられた各種キーを押下されることにより実行されるものとしたが、各機能（処理）は、例えば電源オンや画像信号の入力に伴って実行されるものとすることも可能である。また、プロジェクタ１に筐体の揺動を検出する揺動検出部（図示せず）を備えて、揺動検出部が揺動の収束を検出した際に、各機能が実行されるものとしてもよい。こうすれば、ユーザによって、プロジェクタの設置や設定を完了した際に、各機能は自動的に実行されるため、利便性が向上する。
【０１３３】
（変形例６）上記第１および第２の実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１３４】
（変形例７）上記第１乃至第３の実施形態では、通知部として音声出力装置（ブザー駆動部２８、およびブザー２９）を備えた画像表示装置として、プロジェクタ１、プロジェクタ２、および液晶ディスプレイ３を例にして説明しているが、通知部を備え、画像鮮明化処理を行う画像表示装置であれば適用することが可能である。例えば、透過型のスクリーンを一体的に備えたリアプロジェクタ、あるいは、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【図面の簡単な説明】
【０１３５】
【図１】第１の実施形態に係るプロジェクタの概略構成を示すブロック図。
【図２】オートフォーカス処理を示すフローチャート。
【図３】自動ズーム処理を示すフローチャート。
【図４】ズーム調整キーストーン補正処理（サブルーチン）の流れを示すフローチャート。
【図５】スクリーン上の画像の投写状態を示す説明図であり、（ａ）は、ズーム調整キーストーン補正処理前の投写状態を示す図、（ｂ）は、ズーム調整キーストーン補正処理後の投写状態を示す図。
【図６】自動台形歪補正処理を示すフローチャート。
【図７】ウォームアップ処理を示すフローチャート。
【図８】画像検索処理を示すフローチャート。
【図９】第２の実施形態に係るプロジェクタの概略構成を示すブロック図。
【図１０】プロジェクタのＵＳＢ活性化処理を示すフローチャート。
【図１１】第３の実施形態に係る液晶ディスプレイの概略構成を示すブロック図。
【図１２】オートフォーカス機能の開始および終了を画像によって通知する画面の図であり、（ａ）は、オートフォーカス機能開始時を示す画面図、（ｂ）は、オートフォーカス機能終了時を示す画面図。
【符号の説明】
【０１３６】
１，２…プロジェクタ、３…液晶ディスプレイ、１０…画像投写部、１１…光源、１２…液晶ライトバルブ、１３…投写レンズ、１３ａ…フォーカスレンズ、１３ｂ…ズームレンズ、１４…ライトバルブ駆動部、２０…制御部、２０ａ…フォーカス制御部、２０ｂ…ズーム制御部、２１…入力操作部、２２…光源制御部、２３…フォーカス駆動部、２４…フォーカス状態検出部、２５…ズーム駆動部、２６…ズーム状態検出部、２７…傾斜検出部、２８…ブザー駆動部、２９…ブザー、３０…画像入力端子群、３０ａ…画像入力端子、３１…入力選択部、３２…画像処理部、３３…キーストーン補正部、３４…信号検知部、３５…ＵＳＢ通信部、３６…画像処理部、４０…撮像部、４１…画像解析部、４２…測距部、４５…制御部、４５ａ…ＵＳＢ制御部、５０…制御部、５１…入力操作部、５２…バックライト制御部、６０…画像表示部、６１…液晶パネル、６２…パネル駆動部、６３…バックライト、１００…画像供給装置、ＣＢ…ＵＳＢケーブル、ＳＣ…スクリーン。
【図１】
2010085815.tif 000003
【図２】
2010085815.tif 000004
【図３】
2010085815.tif 000005
【図４】
2010085815.tif 000006
【図５】
2010085815.tif 000007
【図６】
2010085815.tif 000008
【図７】
2010085815.tif 000009
【図８】
2010085815.tif 000010
【図９】
2010085815.tif 000011
【図１０】
2010085815.tif 000012
【図１１】
2010085815.tif 000013
【図１２】
2010085815.tif 000014